(57)【要約】【課題】楽器の販売をネットワーク１０を介して行うとともに、楽器の表面デザインに対する顧客の要望を容易に楽器に反映できるようにする。【解決手段】販売店のパーソナルコンピュータ３０とサーバ２０をネットワーク１０を介して接続する。販売店で聞き取った顧客の要望データをサーバ２０に送信する。楽器の表面デザインに関する素材データを顧客が持っていれば、それもサーバ２０に送信する。サーバ２０において、指定された楽器と要望データに基づいて楽器の表面デザインの候補を生成し、販売店のパーソナルコンピュータ３０に送信する。販売店において、表面デザインを確認し、顧客が納得すれば、サーバ３０に発注する。サーバ２０から楽器製造工場のパーソナルコンピュータ４０に製造指示を送信する。楽器製造工場において、３Ｄ印刷装置により外装品に表面デザインを印刷する。【選択図】図１
2005275542.tif 000002
【特許請求の範囲】
【請求項１】
楽器の表面デザインに用いる素材データを複数種類準備する素材データ準備手段と、
顧客の要望を受付て該要望を示す要望情報を供給する顧客要望受付手段と、
前記顧客要望受付手段で供給される要望情報に基づいて前記表面デザイン準備手段で準備した素材データから楽器の表面デザインを特定する表面デザイン特定手段と、
前記表面デザイン特定手段で特定した表面デザインをもとに、顧客が購入する楽器に合わせて楽器表面に印刷を行う楽器表面印刷手段と、
前記楽器表面印刷手段で楽器表面に印刷した楽器を顧客または顧客が指定した人物に対し発送する楽器発送手段と、
有した楽器製造販売システム。
【請求項２】
前記表面デザイン特定手段は、前記表面デザイン準備手段で準備した素材データから楽器の表面デザイン候補を生成して該表面デザイン候補を提示する表面デザイン提示手段を有し、該提示した表面デザインから印刷用の表面デザインとして特定することを特徴とする請求項１記載の楽器製造販売システム。
【発明の詳細な説明】
【技術分野】
【０００１】
本発明は、顧客の要望に応じたデザインの楽器を製造販売する楽器製造販売システムに関する。
【背景技術】
【０００２】
近年、演奏の技術習得や演奏を楽しむために長い期間保持する楽器において、所有することのあきがおきないように、演奏機能以外の付加価値として楽器に高級感をつけたり、また、個々の楽器にオリジナル性が求められることが多くなってきている。
【０００３】
なお、本発明に関連する文献公知発明のうち、出願人が当該特許出願時に知っているものがないので、開示すべき先行技術文献情報はない。
【発明の開示】
【発明が解決しようとする課題】
【０００４】
従来、一般の楽器製造販売においては顧客に対して既製品を販売するだけで、顧客の意見を聞く場合でも音色関係の調整にとどまるものであった。また、特別に顧客の要望どうりの楽器を製造するとなると、特注品となり製造時には職人的な制作作業が必要となりコストの高いものとなってしまう。そこで、できるだけ顧客の要望を反映しながらコストアップを抑えてオリジナル性の高い楽器を提供できることが要求される。また、顧客の要望を容易に楽器に反映できるような楽器製造販売システムが要求される。
【０００５】
本発明は、楽器の表面デザインに対する顧客の要望を容易に楽器に反映できるようにして、顧客の要望に応じたオリジナル性の高い楽器を容易に提供できるようにすることを課題とする。
【課題を解決するための手段】
【０００６】
請求項１の楽器製造販売システムは、例えばサーバの記憶手段に楽器の表面デザインに用いる素材データを複数種類準備し、例えば販売店において、顧客の要望を受付て該要望を示す要望情報をサーバに供給し、サーバにおいて、その要望情報に基づいて、前記素材データから楽器の表面デザインを特定し、楽器製造工場において、この特定した表面デザインをもとに、顧客が購入する楽器に合わせて楽器表面に印刷を行い、この楽器を顧客または顧客が指定した人物に対し発送するようにした。さらに、印刷後に、透明塗装をしたり透明フィルムを貼るなどして、印刷層を保護する表面処理を行うとよい。
【０００７】
請求項２の楽器製造販売システムは、請求項１に加えて、前記要望情報に基づいて、準備した素材データから楽器の表面デザイン候補を生成して該表面デザイン候補を提示し、この提示した表面デザインから印刷用の表面デザインとして特定するようにした。この提示する表面デザイン候補は、例えば、表面デザインを施した楽器の仕上がり相当の画像としてシミュレーション再現したものとすることで顧客が容易に仕上がりを想像することができ、購入の可否判断を確実に行うことができ、本当の受注生産となる。
【発明の効果】
【０００８】
請求項１の楽器製造販売システムによれば、楽器の表面デザインに対する顧客の要望を容易に楽器に反映でき、顧客の要望に応じたオリジナル性の高い楽器を容易に提供することができる。
【０００９】
請求項２の楽器製造販売システムによれば、請求項１の効果に加えて、楽器の仕上がりを顧客が確認することができるので、さらに顧客の要望を容易に楽器に反映することができる。
【発明を実施するための最良の形態】
【００１０】
以下、図面を参照して本発明の一実施形態について説明する。図１は本発明の実施形態における楽器製造販売システムの概略図である。この実施形態では、販売店で顧客が楽器を注文し、そのとき例えば店員と相談（商談）して、楽器表面の表面デザインを決める。この表面デザインはサーバで生成されるが、この表面デザインの生成には、予め用意されているデザインのパターンのパーツである素材のデータ（素材データ）を用いたり、顧客が用意した素材データを用いたりする。
【００１１】
ネットワーク１０は例えばインターネット等のネットワークであり、周知のようにＷＷＷ（ＨＴＴＰ）等のインターネットプロトコルの基に多数のプロバイダにより多数のサーバと多数のクライアントが接続されたている。また、ネットワーク１０には、ネットワーク対応の電子機器、銀行や信販カード会社等の決済機関のコンピュータ、Ｗｅｂブラウザが利用可能なパーソナルコンピュータ等の一般クライアントなど、複数の機器が接続されることは周知のおとりである。
【００１２】
サーバ（コンピュータ）２０の記憶装置２０ａ、販売店のパーソナルコンピュータ（ＰＣ）３０の記憶装置３０ａ、楽器製造工場のパーソナルコンピュータ４０の記憶装置４０ａは、例えば内蔵または外付けのＨＤＤ（ハードディスクドライブ）等であり、ネットワーク１０を介して通信を行う通信制御プログラムが記憶されている。また、サーバ２０の記憶装置２０ａには、デザインの素材となる素材データから楽器の表面の印刷用の表面デザインを生成したり、素材データを検索したりする制御プログラムが記憶されている。また、販売店のパーソナルコンピュータ３０の記憶装置３０ａには、顧客の要望に応じてデータの入力等を行ったり販売管理等を行う制御プログラムなどが記憶されている。さらに、サーバ２０の記憶装置２０ａは、表面デザインの素材データのデータベースを構成している。また、楽器製造工場のパーソナルコンピュータ４０の記憶装置４０ａには、３Ｄ印刷装置１００を制御する制御プログラムが記憶されている。
【００１３】
なお、後述の別の実施形態に対応して、ネットワーク１０に対してユーザのパーソナルコンピュータ５０を接続し、このユーザのパーソナルコンピュータ５０により、サーバ２０との間で販売店のパーソナルコンピュータ３０と同様な手続きを行うこともできる。
【００１４】
図２は楽器製造工場における３Ｄ印刷装置１００の概略構成を示す図であり、この３Ｄ印刷装置１００は、ＲＧＢカラージェットプリンタ１と、楽器の外装品Ａを保持する多軸ロボット２とを備えている。そして、ＲＧＢカラージェットプリンタ１と、多軸ロボット２は、それぞれコントローラ１ａ，２ａを介してパーソナルコンピュータ４０により制御される。
【００１５】
なお、ＲＧＢカラージェットプリンタ１は、図示しない印刷ヘッドから被印刷面に対して赤、緑、青（及び黒）のインク（顔料インクや染料インクなど）を噴射してカラー印刷を行うものであり、被印刷面に例えば数ミリ程度の凹凸があっても、この凹凸に影響されずに印刷することができる。また、多軸ロボット２は、複数のアームの位置を自在に変位させることができ、パーソナルコンピュータ４０からの指示にしたがって、外装品Ａの被印刷面がＲＧＢカラージェットプリンタ１の印刷ヘッドに対向するように外装品Ａの姿勢制御を行う。なお、パーソナルコンピュータ４０によるこれらの制御は、指定された楽器の種類と、外装品の種類、表面デザインのサイズ、印刷位置等のデザインデータに基づいて、所定の制御パラメータが設定され、この制御パラメータに基づいて制御プログラムが実行する。
【００１６】
多軸ロボット２を用いて印刷するのは、特に被印刷面が曲面であったり、屈曲面の稜線を越えて連続印刷するような場合であり、一度の工程で単一の平面に対して印刷する場合には、多軸ロボット２を用いなくてもよい。例えば、図５に示したように、電子楽器の腕木Ａ（外装部品Ａ）の上端面Ａ１は曲面とすることが多いが、この上端面Ａ１の部分に木目模様を印刷する場合に、この腕木Ａを多軸ロボット２で保持して印刷する。
【００１７】
図３は、楽器販売時の販売店における動作とサーバにおける動作を説明する図、図４は楽器製造工場における動作を説明する図である。なお、図３及び図４において破線の矢印はネットワーク１０を介したデータ授受及び処理でデータの関係を表している。
【００１８】
先ず、販売店において、顧客にサンプルやカタログを見せたりして、どのような楽器でどのようなデザインがいいか顧客から要望を聞き取る（ステップＳ１）。この場合、また、このとき、顧客が何らかの素材データを用意していて、その素材データを楽器の表面デザインに使用したい場合には、その素材データを取得する。この素材データは、例えば、所定のフォーマットでフレキシブルディスクなどの記録媒体に記録した画像データ、あるいは、写真やイラストなどからスキャナ等で読み取った画像データなど、デジタル処理できるデータとして取得する。そして、顧客の要望をデータ化した要望データをサーバ２０に転送する（ステップＳ２）。この要望データの転送時には、顧客が用意した素材データがあればその素材データも同時に転送する。
【００１９】
一方、サーバ２０では、まず、素材データの収集を行う（ステップＳ９）。この場合、コンテで描いたものや、実際に木目を撮影した画像、または撮影した画像を処理した画像、またはそれらを組み合わせたものからできた画像など、複数種類の素材データを収集する。なお、画像の色や濃さについてはその画像特有のものを利用してもよいし、オリジナルの画像に画像処理を施して、色や濃さの変換、映像の変形処理など手を加えた画像としてもよい。さらに、顧客が用意した素材データを含めてもよい。そして、これらの素材データを例えば種類や、特徴に応じてグループ化するなど、データベース化する（ステップＳ１０）。
【００２０】
次に、サーバ２０は、販売店から送信された顧客の要望データに基づいてその要望に適合するような素材データをデータベースから検索し（ステップＳ１１）、次に、その検索した素材データと要望データに基づいてデザインデータを生成する（ステップＳ１２）。このデザインデータは、顧客が要求している楽器の種類（機種）に応じた楽器の外観形状を示す形状データと、どの部分あるいはどの範囲にどの素材データの印刷を施すかなどのデータ（要望データ）に基づいて、楽器に表面デザインが印刷された状態の例えば透し投影図（パース画像）などの画像データとして生成する。このような処理は、例えばＣＡＤ（Ｃｏｍｐｕｔｅｒ  Ａｉｄｅｄ  Ｄｅｓｉｇｎ）ソフトなどで生成することができる。また、このデザインでには、素材データの画像を楽器の印刷面に適合させるようなマッピング（貼り付け処理）の情報を持っており、この情報が、後述の楽器製造工場において印刷処理の制御に利用される。そして、上記のようにデザインデータを生成すると、サーバ２０から販売店のパーソナルコンピュータ３０にデザインデータを送信する（ステップＳ１３）。
【００２１】
販売店では、サーバ２０から送信されるデザインデータを受信し（ステップＳ３）、全体デザインの確認を行う（ステップＳ１４）。この全体デザインの確認では、受信したデザインデータに基づいてパーソナルコンピュータ２０のディスプレイ等に仕上がり状態の楽器の画像をグラフィック表示し、顧客に見せて確認をする。この場合に、パーソナルコンピュータ２０の処理で、画像を回転して視点を変えて表示できるようにしてもよい。また、各種室内の画像データを用意しておき、この室内の画像と楽器の画像とを合成して、楽器を実際に室内に配置したときの状態をグラフィック画像で確認できるようにしてもよい。
【００２２】
次に、そのデザインで顧客が納得したかにより処理を変える（ステップＳ５）。顧客が納得しなければ、サーバに対して別のデザインを送信するように再送要求を行い（ステップＳ６）、ステップＳ１以降の処理を繰り返す。サーバ２０では再送要求を指示受付（ステップＳ１４）で受け付けて、ステップＳ１５で顧客が納得していなければステップＳ９以降の処理を繰り返す。これにより、別のデザインデータが販売店のパーソナルコンピュータ３０に送信される。
【００２３】
販売店において、ステップＳ５で顧客が納得すれば、楽器販売に関する契約手続きを行う（ステップＳ７）。この契約手続きでは、代金の現金払いあるいはクレジット払い等による支払い精算や、発送先の確認等を行う。そして、契約手続きが完了すると、デザインデータの確定の指示や、契約が完了した旨を示す情報、発送先の情報、発注番号の情報、製造開始の指示など、発注関係の指示をサーバ２０に送信する。
【００２４】
サーバ２０では、発注関係の指示を受信し、この発注関係の指示の上記各情報に基づいて、ステップＳ１５で顧客が納得したと判断するとともに、ステップＳ１６で契約が完了したと判断すると、楽器製造工場のパーソナルコンピュータ４０に対して製造指示を送信する（ステップＳ１７）。この、製造指示では、楽器の種類の情報（型番等）、発注番号の情報、製造開始を指示する情報などを送信する。また、確定したデザインデータを発注番号の情報とともにパーソナルコンピュータ４０に送信する（ステップＳ１８）。
【００２５】
図４に示したように、楽器製造工場では、製造指示を受信すると（ステップＳ１９）、指示の内容にしたがって、楽器の機器内蔵品の製造（ステップＳ２０）、機器外装品の製造（ステップＳ２１）を行い、さらに外装品の仕上げを行う（ステップＳ２２）。この外装品の仕上げにおいて、サーバ２０からのデザインデータに基づくパーソナルコンピュータ４０の制御で、３Ｄ印刷装置１００により印刷を行う。そして、印刷が完了すると、部品の組み立てを行い（ステップＳ２３）、梱包し（ステップＳ２４）、指定された発送先に発送する（ステップＳ２５）。
【００２６】
なお、ステップＳ２０，２１において、顧客の要望に合わせて、さらに「楽器本体の部材（木の種類、プラスチック等）を決めたり、鍵盤の仕様（材質やハンマー機能等）を決めたり、ディスプレイ及びスイッチなどに関する操作パネルの仕様を決めたり、スピーカの種類（音質性能等）を決めたり、その他のソフト的な仕様（自動演奏の機能、音色数、効果種類等）を決めたりして、これらの仕様を組み入れて組み立てるようにしてもよい。すなわち、本発明の楽器製造販売システムの好適な例として「顧客要望受付手段」で供給される要望情報に基づいて、顧客が購入する楽器の仕様を決めるような楽器製造手段を備えていてもよい。
【００２７】
この実施形態と請求項との対応関係は以下のとおりである。サーバ２０において複数の素材データをデータベース化して記憶している構成、あるいは顧客が用意した素材データをサーバ２０のデータベースに記憶する構成が「素材データ準備手段」に相当する。また、販売店のパーソナルコンピュータ３０に顧客の要望に関する情報を入力して、その情報に対応する要望データをサーバ２０に送信する構成が「顧客要望受付手段」に相当する。また、サーバ２０から表面デザインをパーソナルコンピュータ３０に送信し、顧客が納得して契約手続きを取ったことをパーソナルコンピュータ３０からサーバ２０に送信して、該サーバ２０で表面デザインを決定する構成が「表面デザイン特定手段」に相当する。また、楽器製造工場においてパーソナルコンピュータ４０の制御で３Ｄ印刷装置１００により表面デザインを印刷する構成が「楽器表面印刷手段」に相当する。また、サーバ２０からの指示により楽器製造工場から楽器を発送する構成が「楽器発送手段」に相当する。また、サーバ２０から表面デザインをパーソナルコンピュータ３０に送信して、該パーソナルコンピュータ３０のディスプレイに表面デザインをグラフィック表示する構成が「表面デザイン提示手段」に相当する。
【００２８】
以上の実施形態では、ユーザ（顧客）の要望を販売店において切り取り、販売店のパーソナルコンピュータとサーバとをネットワークで接続して、表面デザインの決定、発注、契約等を行う場合について説明したが、サーバ２０がネットワーク上にサイトを設け、例えば図１に示したユーザのパーソナルコンピュータ５０とサーバ２０とをネットワークで接続し、ユーザがサイトをアクセスして、上記販売店におけると略同様な処理を行うようにしてもよい。この場合、図３におけるステップＳ７に相当する処理として、支払方法や必要な事項の入力など、ユーザの契約に関する処理を行う。また、図３におけるステップＳ１６に相当する処理として、適正に契約が成立したかを判定し、適正に契約が成立したらステップＳ１７に進めばよい。
【００２９】
なお、「素材データ」あるいは「表面デザイン」やは、肖像権や著作権等に問題がないかぎり、どのようなパターンのものでもよく、顧客が用意した画像データ、あるいはイラストや写真等をスキャナやデジタルカメラ等で取り込んだ画像データであってもよい。
【００３０】
また、素材データを、データベース的に管理すると顧客の要望に適したものを検索し易く、また、顧客が用意した素材データをも含めてデータベース的に管理することにより、顧客の気持ちを直接反映できるなそ、さらに顧客の要望に適した表面デザインを得ることができる。
【００３１】
顧客の要望を受け付けるとき、この要望としては色、明るさ、雰囲気、模様や写像の感じなどを受け付けるとよい。
【００３２】
表面デザインが木目デザインであると、自然な感じがでて高級感も増す。
【００３３】
印刷の前に外装品（木製部材等）に漂白処理を施してもよく、この漂白処理の上に印刷することで、印刷剤（インク等）が綺麗にのって、仕上がりが良くなる。
【００３４】
外装品は平面のみで形成されるものでなく、曲面や屈曲部などを組み合わせた３次元的な表面形状であり、この表面形状に合わせて表面デザインを印刷すると立体感がでて、自然な仕上がりで高級感が得られる。
【００３５】
素材データは実際の木目を撮像したものとすると、印刷による表面デザインとして不自然さがでにくく、木独特の味を出すことができる。
【００３６】
表面デザインは１つの素材データのパターンを繰り返し繋げて、該１つのパターンより大きく広い面を印刷すると、小さなパターン（素材データ）であっても広範囲に対応できる。この場合、パターンの繋ぎ目で隣り合うパターン同士の端部が合うように、該パターンは、その端部のライン上の方向に模様の方向性を有するものとするとよい。これにより繋ぎ合わせても不自然なところが出にくくなる。
【００３７】
また、複数の異なる素材データを組み合わせて表面デザインを大きくして印刷してもよい。素材データの組み合わせを変えることによっていろいろなデザインができたり、表面の場所に応じてより適応するデザインを当てはめることができる。
【００３８】
予め用意した複数の素材データ（見本）のなかから顧客が特定のものを指定できるようにしてもよい。顧客の具体的な要望を特定することができ、顧客の要望に対して間違いを少なくして、あるていどの満足感を与えることができる。
【図面の簡単な説明】
【００３９】
【図１】本発明の実施形態における楽器製造販売システムの概略図である。
【図２】実施形態の楽器製造工場における３Ｄ印刷装置の概略構成を示す図である。
【図３】実施形態の楽器販売時の販売店における動作とサーバにおける動作を説明する図である。
【図４】実施形態の楽器製造工場における動作を説明する図である。
【図５】実施形態における電子楽器の外装品の一例を示す図である。
【符号の説明】
【００４０】
１０…ネットワーク、２０…サーバ、３０，４０，５０…パーソナルコンピュータ、１００…３Ｄ印刷装置
【図１】
2005275542.tif 000003
【図２】
2005275542.tif 000004
【図３】
2005275542.tif 000005
【図４】
2005275542.tif 000006
【図５】
2005275542.tif 000007